(57)【要約】【課題】被照面に明部と暗部が混在した光模様を積極的に形成して演出効果を高めることができる間接照明装置を提供する。【解決手段】間隔を置いて一方向に配置された複数個の点光源１２１と、各点光源１２１の並び方向に沿って配置されると共に、各点光源の並び方向に、各点光源から放射される光の一部を透過させ一部を遮断する透光・遮光領域２０６、２０７か、各点光源から放射される光の光路を変化させる光路変化領域５２１の少なくとも一方が形成され、前記透光・遮光領域または光路変化領域を経由した各点光源からの光を被照面４００へと配光することにより、被照面上へ明部と暗部が混在した光模様を形成させる作用体２００、５２０、６００を備えている。【選択図】  図６
2017059409.tif 000002
【特許請求の範囲】
【請求項１】
間隔を置いて一方向に配置された複数個の点光源と、
前記各点光源の並び方向に沿って配置されると共に、各点光源の並び方向に、各点光源から放射される光を透過させる透過部と遮断する遮光部とが交互に設けられた透光・遮光領域か、各点光源から放射される光の光路を変化させる光路変化領域の少なくとも一方が形成され、前記透光・遮光領域または光路変化領域を経由した各点光源からの光を被照面へと配光することにより、被照面上へ明部と暗部が混在した光模様を形成させる作用体と、
を備えたことを特徴とする間接照明装置。
【請求項２】
前記透光・遮光領域は、前記各点光源を一括して被覆し各点光源を内部に収容するカバー部材に形成されている請求項１に記載の間接照明装置。
【請求項３】
前記作用体の光路変化領域は、前記各点光源から放射される光を反射する反射領域である請求項１に記載の間接照明装置。
【請求項４】
前記反射領域は、前記各点光源の並び方向において、反射面の形状が規則的にあるいは不規則に変化している請求項３に記載の間接照明装置。
【請求項５】
前記反射面は、前記各点光源の並び方向に連続する縦断面円弧状の凹面からなる請求項４に記載の間接照明装置。
【請求項６】
前記作用体の光路変化領域は、前記各点光源からの光を屈折させるレンズによって構成されている請求項１に記載の間接照明装置。
【請求項７】
一方向に長い基材と、
複数個の前記点光源を一体に支持する一方向に長い光源ユニットと、
前記光源ユニットを前記基材と平行状態に、かつ前記光源ユニットの基材周りの位置か光源ユニットの向きの少なくとも一方を変更可能に連結する連結機構と、
をさらに備えている請求項１〜６のいずれかに記載の間接照明装置。
【発明の詳細な説明】
【技術分野】
【０００１】
この発明は、室内の壁面等の被照面を照明するのに用いられる間接照明装置に関する。
【背景技術】
【０００２】
この種の間接照明装置として、従来より、反射光に起因する不測の高輝度領域の発生を抑制することができるようにするために、上部を開放面としたシェードと、シェードに収容される光源とを備え、シェードは、開放面と対向する位置に底板部を有し、底板部には、光源の長さ方向に沿って延在する貫通状のスリットが設けられ、スリットの内周壁には、一方の端部から他方の端部に亘り、シェードの内壁の明度よりも低い明度を有する低反射部が形成された間接照明装置が知られている（例えば特許文献１）。
【０００３】
また、影の発生を抑制することができるとともに取付面の明るさが暗くなることを防止し外観性の向上を図ることができる間接照明装置も知られている（例えば特許文献２）。
【先行技術文献】
【特許文献】
【０００４】
【特許文献１】特開２０１４−１０２９０２号公報
【特許文献２】特許第５３６０９６５号公報
【発明の概要】
【発明が解決しようとする課題】
【０００５】
しかしながら、これらの従来の間接照明装置は、多くの場合、高輝度領域の発生を抑制したり、取付面の明るさが暗くなることを防止することにより、均質でムラのない光を創り出し、被照面の明るさが均一になるように構成されていた。
【０００６】
このため、被照面に明部と暗部が混在した光模様を積極的に描き出して幻想的な雰囲気を創り出し、演出効果を高めるような用い方はできなかった。
【０００７】
この発明は、上記事情に鑑みてなされたものであって、被照面に明部と暗部が混在した光模様を積極的に形成して演出効果を高めることができる間接照明装置を提供することを課題とする。
【課題を解決するための手段】
【０００８】
上記課題は、以下の手段によって解決される。
（１）間隔を置いて一方向に配置された複数個の点光源と、前記各点光源の並び方向に沿って配置されると共に、各点光源の並び方向に、各点光源から放射される光を透過させる透過部と遮断する遮光部とが交互に設けられた透光・遮光領域か、各点光源から放射される光の光路を変化させる光路変化領域の少なくとも一方が形成され、前記透光・遮光領域または光路変化領域を経由した各点光源からの光を被照面へと配光することにより、被照面上へ明部と暗部が混在した光模様を形成させる作用体と、を備えたことを特徴とする間接照明装置。
（２）前記透光・遮光領域は、前記各点光源を一括して被覆し各点光源を内部に収容するカバー部材に形成されている前項１に記載の間接照明装置。
（３）前記作用体の光路変化領域は、前記各点光源から放射される光を反射する反射領域である前項１に記載の間接照明装置。
（４）前記反射領域は、前記各点光源の並び方向において、反射面の形状が規則的にあるいは不規則に変化している前項３に記載の間接照明装置。
（５）前記反射面は、前記各点光源の並び方向に連続する縦断面円弧状の凹面からなる前項４に記載の間接照明装置。
（６）前記作用体の光路変化領域は、前記各点光源からの光を屈折させるレンズによって構成されている前項１に記載の間接照明装置。
（７）一方向に長い基材と、複数個の前記点光源を一体に支持する一方向に長い光源ユニットと、前記光源ユニットを前記基材と平行状態に、かつ前記光源ユニットの基材周りの位置か光源ユニットの向きの少なくとも一方を変更可能に連結する連結機構と、をさらに備えている前項１〜６のいずれかに記載の間接照明装置。
【発明の効果】
【０００９】
前項（１）に記載の発明によれば、間隔を置いて一方向に並んで配置された複数個の点光源の並び方向に作用体が配置され、この作用体には各点光源の並び方向に、各点光源から放射される光を透過させる透過部と遮断する遮光部とが交互に設けられた透光・遮光領域か、各点光源から放射される光の光路を変化させる光路変化領域の少なくとも一方が形成されている。そして、透光・遮光領域が形成されている場合は、各光源からの光はその一部が透光部を通過して被照面へ配光され、一部は遮光部により遮断される。光路変化領域が形成されている場合は、各光源からの光は光路変化領域により光路を変化させられて被照面へ配光される。
【００１０】
その結果、被照面上には明部と暗部が混在した光模様が形成され、この光模様によって幻想的な雰囲気を醸し出すことができ、演出効果を高めることができる商品価値の高い間接照明装置となる。
【００１１】
前項（２）に記載の発明によれば、透光・遮光領域は、各点光源を一括して被覆し各点光源を内部に収容するカバー部材に形成されているから、各点光源の外部への露出がなくなり、点光源への汚れの付着等を防止できる。
【００１２】
前項（３）に記載の発明によれば、作用体の光路変化領域は、各点光源から放射される光を反射する反射領域であるから、反射領域での反射により光模様を確実に被照面へ形成することができる。
【００１３】
前項（４）に記載の発明によれば、反射領域は、各点光源の並び方向において、反射面の形状が規則的にあるいは不規則に変化しているから、独創的で演出効果のさらに高い光模様を形成することができる。
【００１４】
前項（５）に記載の発明によれば、反射面は、前記各点光源の並び方向に連続する断面が円弧状の凹面からなるから、独創的な光模様をより確実に被照面へ形成することができる。
【００１５】
前項（６）に記載の発明によれば、作用体の光路変化領域は、各点光源からの光を屈折させるレンズによって構成されているから、レンズでの屈折により光模様を確実に被照面へ形成することができる。
【００１６】
前項（７）に記載の発明によれば、一方向に長い基材と各点光源を一体に支持する光源ユニットが、連結機構によって基材に平行状態に連結されると共に、光源ユニットの基材周りの位置か向きの少なくとも一方を最適状態に調整することができる。
【図面の簡単な説明】
【００１７】
【図１】この発明の一実施形態に係る間接照明装置の斜視図である。
【図２】図１に示した間接照明装置の構成部品である装置本体の斜視図である。
【図３】（Ａ）は同じく装置本体を一部を省略して示す正面図、（Ｂ）は側面図、（Ｃ）は装置本体の構成部品である基材の部分斜視図である。
【図４】（Ａ）は図１の間接照明装置の構成部品であるカバー部材の平面図、（Ｂ）は同じく正面図である。
【図５】図４のＶ−Ｖ線に沿って切断したときのカバー部材の断面図である。
【図６】図１に示した間接照明装置を被取り付け部に取り付けた状態の断面図である。
【図７】間接照明装置の他の取り付け例を示す断面図である。
【図８】この発明の他の実施形態に係る間接照明装置の斜視図である。
【図９】図８に示した間接照明装置の構成部品である反射ユニットの斜視図である。
【図１０】（Ａ）は同じく反射ユニットの平面図、（Ｂ）は正面図である。
【図１１】同じく反射ユニットの側面図である。
【図１２】図８に示した間接照明装置を被取り付け部に取り付けた状態の側面図である。
【図１３】図８に示した間接照明装置の使用方法を説明するための断面図である。
【図１４】図８に示した間接照明装置の他の取り付け例を示す断面図である。
【図１５】この発明のさらに他の実施形態に係る間接照明装置の斜視図である。
【発明を実施するための形態】
【００１８】
以下、この発明の実施形態を図面に基づいて説明する。
【００１９】
図１はこの発明の一実施形態に係る間接照明装置１の斜視図である。この間接照明装置１は、装置本体１００と作用体としてのカバー部材２００とを備えている。
【００２０】
装置本体１００は、図２及び図３に示すように、四角柱状の長尺の基材１１０とこの基材１１０の長さ方向に基材１１０と平行状に配置された光源ユニット１２０を備えている。この光源ユニット１２０は、リンク機構によって、基材１１０の周方向において光源ユニット１２０の位置を変更可能にかつ光源ユニット１２０の向きを変更可能に、前記基材１１０に連結されている。
【００２１】
すなわち、基材１１０の長さ方向の両端面には、クランク形状の２本のアーム部材１３０、１３０の各基端部がそれぞれ基材１１０に対して回動可能にねじ１３１により連結されている。また、各アーム部材１３０、１３０の先端部にはそれぞれ長孔１３２が形成され、各長孔１３２に挿通されたねじ１３３により、光源ユニット１２０の長さ方向の両端面が、両アーム１３０、１３０に対して回動可能にかつ長孔１３２の長さだけ基材１１０に対する離間位置を調整可能に連結されている。従って、基材１１０に対する両アーム１３０、１３０の回動位置の調整により、基材１１０の周方向において光源ユニット１２０の位置を変更でき、両アーム１３０、１３０に対する光源ユニット１２０の回動位置の調整により、光源ユニット１２０の向きを変更できるようになっている。
【００２２】
なお、基材１１０に対する両アーム１３０、１３０の回動位置の調整か、両アーム１３０、１３０に対する光源ユニット１２０の回動位置の調整の何れかのみが可能となるように、基材１１０と光源ユニット１２０を連結しても良い。
【００２３】
光源ユニット１２０には、その長さ方向に亘って多数の点光源１２１が一定間隔を置いて一列状に配置されている。これらの点光源１２１として、この実施形態では指向性を有するＬＥＤ（発光ダイオード）が使用されているが、ＬＥＤには限定されない。また、点光源１２１は一列状ではなく、光源ユニット１２０の幅方向に２個または３個以上配置された複数列状に配置されていても良い。
【００２４】
各点光源１２１には、基材１１０に内蔵された図示しない電源回路や制御回路を介して商用電源から電力が供給され発光するようになっている。また、必要に応じて各点光源１２１の調色や調光が可能に構成されていても良い。
【００２５】
基材１１０の長さ方向の両端部及び中央部には、図３（Ｃ）に示すように、基材１１０を厚さ方向に貫通したねじ挿通孔１１１が形成され、間接照明装置１の取り付け施工時には、このねじ挿通孔１１１に挿通されたビス１１２等により、装置本体１００が室内壁面（天井面や床面を含む）等の被取り付け部にねじ止め固定されるようになっている。なお、図２及び図３に示す符号１３４は、基材１１０の上面に配置され基材１１０を保護し補強するための補強部材である。
【００２６】
一方、図１、図４及び図５に示すカバー部材２００は、樹脂製または金属製の成形体からなり、装置本体１００よりもやや長い長さを有している。このカバー部材２００は図５に示すように、横断面において、一方の角部が直角状で他方の角部が外向き凸の円弧状に形成されるとともに、内部に装置本体１００を収容可能な大きさの中空部２０１を有する逆Ｕ字状のカバー部材本体２０２と、カバー部材本体２０２の各下端縁から外向き水平状に延設された取り付け用フランジ２０３及び２０４と、カバー部材本体２０２の長さ方向の両端部において、中空部２０１を閉塞する蓋片２０５、２０５（図１及び図４に示す）とを有している。
【００２７】
前記各取り付け用フランジ２０３および２０４は、間接照明装置１の取り付け施工時に、装置本体１００を被覆する態様でカバー部材２００を室内壁面等の被取り付け部に取り付けるためのものであり、長さ方向の両端部及び中央部等にねじ孔２０３ａ及び２０４ａを有している。
【００２８】
すなわち、間接照明装置１の取り付け施工時に、被取り付け部に取り付けられた装置本体１００がカバー部材２００の中空部２０１に収容されるようにカバー部材２００を装置本体１００に外方から被せ、この状態で取り付け用フランジ２０３および２０４の各ねじ孔２０３ａ及び２０４ａを介してねじ等を被取り付け部にねじ込むことにより、カバー部材２００を被取り付け部に取り付けるようになっている。
【００２９】
カバー部材２００には、そのほぼ全長に亘って、透光・遮光領域を構成するスリット２０６と遮光部２０７が形成されている。すなわち、カバー部材本体２０２の横断面における一方の角部に形成された円弧状の湾曲部２０９には、湾曲部２０９の湾曲面に沿って延びるスリット２０６が、カバー部材２００の長さ方向のほぼ全域に亘って所定間隔で多数形成されている。これらのスリット２０６は光源ユニット１２０の各点光源１２１から放射された光を透過させるものである。一方、各スリット２０６間には、各点光源１２１から放射された光を遮断する遮光部２０７がスリット２０６の幅を隔てて多数形成されている。
【００３０】
この実施形態では、カバー部材２００の長さ方向（点光源１２１の並び方向）において、各スリット２０６の幅は全てのスリット２０６でほぼ同じに設定されているが、カバー部材２００の長さ方向において、スリット２０６の幅を規則的にあるいは不規則に変化させても良い。一方、カバー部材２００の長さ方向（点光源の並び方向）において、各遮光部２０７の幅は全ての遮光部２０７でほぼ同じに設定されているが、カバー部材２００の長さ方向において、遮光部２０７の幅を規則的にあるいは不規則に変化させても良い。
【００３１】
また、スリットの間隔と各点光源１２１の間隔とを合致させ、スリットの真下に各点光源１２１が配置される構成としても良い。
【００３２】
次に、図１〜５に示した間接照明装置１の取り付け方法及び使用方法について説明する。
【００３３】
図６に示すように、例えば室内の天井面等に形成された被取り付け部３００にまず上下逆向きにした装置本体１００をビス１１２（図３（Ｃ）に示す）を介して取り付けたのち、上下逆向きにしたカバー部材２００を、カバー部材本体２０２のスリット２０６が被照面４００である室内壁面側を向く配置で、かつ装置本体１００がカバー部材本体２０２の中空部２０１内に収容されるように、装置本体１００に外方（下方）から被せる。そして、この状態で取り付け用フランジ２０３及び２０４の各ねじ孔２０３ａ、２０４ａを介してねじ２０８、２０８を被取り付け部材３００にねじ込んでカバー部材２００を固定する。なお、カバー部材２００の取り付け前に、必要に応じ、装置本体１００のアーム１３０、１３０を回動させるとともに、アーム１３０、１３０に対し光源ユニット１２０を回動させることにより、光源ユニット１２０の各点光源１２１から放射される光の方向がカバー部材２００のスリット２０６の方向に合致するように、光源ユニット１２０の位置及び向きを適正に調整しておく。
【００３４】
間接照明装置１の取り付け後、各点光源１２１を点灯させると、各点光源１２１から被照面４００に向けて斜め下方に放射される光の一部は、多数のスリット２０６を透過して被照面４００に配光され、一部は多数の遮光部２０７により遮断される。この実施形態では、光源は複数の点光源であるから、１個の点光源１２１からの光は、主にその点光源１２１の直近に位置するスリット２０６から被照面４００へと放射される。このため、棒状光源のように面発光する光源に較べて、スリット２０６を透過した光により被照面４００に形成される明部と、遮光部２０７により光が遮断されることにより被照面４００に形成される暗部とのコントラストが大きくなり、被照面４００には明部と暗部が鮮明に描き出された光模様が出現することになり、この光模様によって幻想的な雰囲気が醸し出され、演出効果を高めることができる。特にこの実施形態では、点光源１２１として指向性のある発光ダイオードが用いられているため、明部と暗部をよりくっきりと鮮明に描き出すことができる。
【００３５】
なお、スリット２０６や遮光部２０７の少なくとも一方の幅を、規則的にあるいは不規則に変化させることにより、光模様の明部と暗部の形状、位置、組み合わせ等が変化し、より独創的で演出効果の高い光模様を形成することができる。
【００３６】
図６の例では間接照明装置１を室内の天井面に設置した場合を示したが、設置場所や被照面は限定されることはなく、例えば図７に示すように、室内の床面等に形成された被取り付け部３００に取り付けても良い。この場合は、各点光源１２１から被照面４００に向けて斜め上方に放射される光の一部が、カバー部材本体２０２の多数のスリット２０６を透過して被照面４００に配光されるように取り付ける。
【００３７】
図８はこの発明の他の実施形態に係る間接照明装置１０の斜視図である。この実施形態は、各点光源１２１から放射される光の光路を変化させる光路変化領域が作用体に形成されると共に、光路変化領域が、各点光源１２１から放射される光を反射する反射領域である場合を示すものである。
【００３８】
間接照明装置１０は、点光源１２１を有する装置本体１００と反射ユニット５００を備えている。なお、装置本体１００は図１〜７に示した実施形態と同一であるので、同一構成部分には同一の符号を付し説明は省略する。
【００３９】
反射ユニット５００は、装置本体１００とほぼ同長に形成されると共に、支持体５１０とこの支持体５１０に支持された作用体としての反射部材５２０とを備えている。
【００４０】
支持体５１０は、図９〜図１２に詳しく示すように、反射部材５２０を支持する平板状の支持板部５１１と、支持板部５１１の幅方向の両端縁に連設された第１脚部５１２及び第２脚部５１３とを備えている。
【００４１】
第１脚部５１２は支持板部５１１の幅方向の一端縁から下方に延出した縦部５１２ａと、この縦部５１２ａの下端縁から支持板部５１１と反対側に直角水平状に延出した横部５１２ｂとを有している。横部５１２ｂは、反射ユニット５００を天井等の被取り付け部に取り付けるためのフランジであり、長さ方向の複数箇所にねじ孔５１４（図１０（Ａ）に示す）を有している。
【００４２】
第２脚部５１３は支持板部５１１の幅方向の他端縁から下方に延出した縦部５１３ａと、この縦部５１３ａの下端縁から支持板部５１１と反対側に直角水平状に延出した横部５１３ｂと、横部５１３ｂの端縁の一部から部分的に上方に直角に折り返された折り返し部５１３ｃとを有している。横部５１３ｂは、第１脚部５１２の横部５１２ｂと同様に、反射ユニット５００を天井等の被取り付け部に取り付けるためのフランジであり、長さ方向の複数箇所にねじ孔５１４を有している。
【００４３】
また、折り返し部５１３ｃは、図１２に示すように、間接照明装置１０の被取り付け部への取り付けの際に、装置本体１００の基材１１０の側面を折り返し部５１３ｃの外面に当接させて、装置本体１００と反射ユニット５００とを位置決めする役割を果たす。なお、横部５１３ｂの端縁の長さ方向の両端部から斜め上方に折り返された係止片５１３ｄ、５１３ｄは、同じく間接照明装置１０の取り付けの際に、装置本体１００の基材１１０の長さ方向の両端面を係止片５１３ｄに係止させることにより、装置本体１００と反射ユニット５００とを長さ方向において位置決めする役割を果たす。
【００４４】
この実施形態では、図１１及び図１２に詳細に示されるように、第１脚部５１２の縦部５１２ａの高さは第２脚部５１３の縦部５１３ａの高さよりも大きく設定されており、これにより支持板部５１１は第２脚部５１３側、つまり第２脚部５１３の折り返し部５１３ｃに当接配置される装置本体１００側に傾斜している。従って、支持板部５１１に支持される反射部材５２０も装置本体１００側に傾斜して配置される。この反射部材５２０の傾斜配置により、装置本体１００に備えられた各点光源１２１からの光を効率良く被照面に配光するようになっている。
【００４５】
支持板部５１１に支持される反射部材５２０は、図８〜図１０に示すように、良好な反射特性を有する縦断面下向き円弧状の複数の部材が長さ方向（点光源１２１の並び方向）に組み合わされて形成されており、その表面が反射面となされている。従って、反射面の形状は、複数個の縦断面円弧状の凹面部５２１が長さ方向（点光源１２１の並び方向）に亘って連続的に繰り返された規則的な変化形状を有している。また、反射部材５２０は各凹面部５２１の底部が幅方向の２箇所において２個のねじ５２２により支持板部５１１に固定されており、これにより支持体５１０と反射部材５２０が一体に連結されている。
【００４６】
次に、図８〜図１２に示した間接照明装置１０の取り付け方法及び使用方法について説明する。
【００４７】
図１３に示すように、例えば室内の天井面等に形成された被取り付け部３００にまず上下逆向きにした装置本体１００をビス１１２を介して取り付けたのち、上下逆向きにした反射ユニット５００における第２脚部５１３の折り返し部５１３ｃを、装置本体１００の側面に当接させ、かつ装置本体１００の基材１１０の長さ方向の両端面に第２脚部５１３の係止部５１３ｄを係止させた配置にして、第１脚部５１２の横部５１２ｂ及び第２脚部５１３の横部５１３ｂをねじ５３０でねじ止めすることにより、反射ユニット５００を被取り付け部３００に取り付ける。なお、反射部材５２０の反射面である凹面部５２１で反射される各点光源１２１からの光が、被照面４００である壁面に適正に配光されるように、装置本体１００及び反射ユニット５００の取り付け位置は予め設定されている。また、装置本体１００を被取り付け部３００に取り付ける前に、まず反射ユニット５００を被取り付け部３００に取り付け、その後に装置本体１００を被取り付け部３００に取り付けても良い。
【００４８】
装置本体１００及び反射ユニット５００の取り付け後、必要に応じ、装置本体１００のアーム１３０、１３０を回動させるとともに、アーム１３０、１３０に対し光源ユニット１２０を回動させることにより、光源ユニット１２０の各点光源１２１から放射される光の方向が、反射ユニット５００における反射部材５２０の反射面である凹面部５２１の方向に合致するように、光源ユニット１２０の位置及び向きを適正に調整する。
【００４９】
この状態で、各点光源１２１を点灯させると、各点光源１２１から反射部材５２０の反射面である凹面部５２１に照射される光は、該反射面によって反射されて被照面４００に配光される。
【００５０】
１個の点光源１２１からの光の反射部材５２０による反射光量は、点光源１２１と反射部材５２０の反射部位との距離に依存し、点光源１２１から離間する部位ほど小さくなる。その結果、多数の点光源１２１による反射部材５２０の反射面各部の反射光量はそれぞれ異なり、被照面４００には明部と暗部が鮮明に描き出された光模様が出現することになり、この光模様によって幻想的な雰囲気が醸し出され、演出効果を高めることができる。しかもこの実施形態では、反射面は複数個の円弧状の凹面部５２１が連続して形成されていることから、反射形態はさらに複雑になり、明部と暗部がより複雑に絡み合った光模様が出現し、演出効果がさらに高まるものとなる。さらに、この実施形態では、点光源１２１として指向性のある発光ダイオードが用いられているため、明部と暗部をよりくっきりと鮮明に描き出すことができる。
【００５１】
なお、図１３の例では間接照明装置１０を室内の天井面に設置した場合を示したが、設置場所や被照面は限定されることはなく、例えば図１４に示すように、室内の床面等に形成された被取り付け部３００に取り付けても良い。この場合は、各点光源１２１から反射部材５２０に放射され反射部材５２０で斜め上方に反射された光が、被照面４００に配光されるように、装置本体１００及び反射ユニット５００を取り付ける。
【００５２】
図８〜図１４の実施形態では、作用体の光路変化領域が反射部材５２０の反射領域である場合を示したが、作用体の光路変化領域を、各点光源１２１からの光を屈折させるレンズによって構成しても良い。
【００５３】
図１５はこのようなレンズ６００を用いた間接照明装置１１を示すものである。この間接照明装置１１では、装置本体１００の各点光源１２１と被照面との間に、各点光源１２１からの光の光路を屈折により変化させる、一方向に長い板状ないし棒状のレンズ６００が各点光源１２１の並び方向に沿って配設されている。このレンズ６００によっても反射部材５２０の場合と同様に被照面に明部と暗部が混在した光模様を形成することができる。例えば、レンズ６００の長さ方向（点光源の並び方向）において、所定範囲毎に、その範囲に放射される点光源からの光を集光するようにレンズ６００の屈折率を調整することにより、集光部分が明部となり集光部分同士の間が暗部となる光模様を形成したり、所定範囲毎にあるいは連続して、レンズ６００の屈折率を変化させることで、光模様を形成することができる。
【００５４】
なお、レンズ６００の固定方法は限定されることはなく、被取り付け部３００に固定しても良いし、装置本体１００に固定しても良い。また、図１〜図７に示したカバー部材２００のスリット２０６に代えてレンズ６００の外形に合致する開口を設け、該開口にレンズ６００をはめ込んで固定しても良い。
【００５５】
以上、本発明の一実施形態を説明したが、本発明は上記実施形態に限定されることはない。
【００５６】
例えば、各点光源１２１の並び方向における作用体の全域に、透光・遮光領域、反射領域、屈折領域がそれぞれ形成されている実施形態を例示したが、一部領域にのみ形成されていても良い。
【００５７】
また、透光・遮光領域、反射領域、屈折領域がそれぞれ単独で作用体に形成されている実施形態を例示したが、透光・遮光領域、反射領域、屈折領域のうちの何れか２つ以上が組み合わされて、作用体に形成されていても良い。
【符号の説明】
【００５８】
１、１０、１１    間接照明装置
１００  装置本体
１１０  基材
１２０  光源ユニット
１２１  点光源
１３０  アーム
２００  カバー部材
２０６  スリット
２０７  遮光部
３００  被取り付け部
４００  被照面
５００  反射ユニット
５１０  支持体
５２０  反射部材
５２１  凹面部
【図１】
2017059409.tif 000003
【図２】
2017059409.tif 000004
【図３】
2017059409.tif 000005
【図４】
2017059409.tif 000006
【図５】
2017059409.tif 000007
【図６】
2017059409.tif 000008
【図７】
2017059409.tif 000009
【図８】
2017059409.tif 000010
【図９】
2017059409.tif 000011
【図１０】
2017059409.tif 000012
【図１１】
2017059409.tif 000013
【図１２】
2017059409.tif 000014
【図１３】
2017059409.tif 000015
【図１４】
2017059409.tif 000016
【図１５】
2017059409.tif 000017